(57)【要約】【課題】模様壁面の角部における模様型枠の寸法調整を行う必要がなくて、模様壁面角部を美麗に仕上げることができ、施工効率を高めることのできる模様壁面角部の施工方法を提供すること。【解決手段】（１）前記模様壁面を形成する周囲に、保持枠２１に支持した模様型枠２０を配置する工程；（２）これらの模様型枠２０の内の、前記角部の両側に位置するものの間にできる空間３１を閉じるべく、これら両模様型枠２０間に、前記角部の形状に合わせた調整金具１０を、その両翼部１１が模様型枠２０の端部表面に架かるようにして配置する工程；（３）各模様型枠２０内にコンクリートを打設する工程を経て施工するようにした模様壁面角部の施工方法。【選択図】図１
2009167678.tif 000002
【特許請求の範囲】
【請求項１】
コンクリートからなる模様壁面を模様型枠を使用して形成するにあたって、前記模様壁面の角部については、次の工程を経て施工するようにしたことを特徴とする模様壁面角部の施工方法。
（１）前記模様壁面を形成する周囲に、保持枠に支持した前記模様型枠を配置する工程；
（２）これらの模様型枠の内の、前記角部の両側に位置するものの間にできる空間を閉じるべく、これら両模様型枠間に、前記角部の形状に合わせた調整金具を、その両翼部が前記模様型枠の端部表面に架かるようにして配置する工程；
（３）前記各模様型枠内にコンクリートを打設する工程。
【請求項２】
コンクリートからなる模様壁面を模様型枠を使用して形成するにあたって採用され、前記模様壁面の角部の両側を形成することになる前記模様型枠間に配置される調整金具であって、
前記角部を形成することになる前記両模様型枠の端部表面に当接支持される二つの翼部によって構成するとともに、これら両翼部を所定の角度で一体化したことを特徴とする調整金具。
【請求項３】
前記各翼部の上下両端に、前記各模様型枠の上下両端面に当接する固定部を一体化したことを特徴とする請求項２に記載の調整金具。
【請求項４】
前記各固定部に取付穴を形成して、これら取付穴を通して前記模様型枠内に挿入される固定具によって、前記模様型枠とこれに当接する前記固定部との固定を行うようにしたことを特徴とする請求項３に記載の調整金具。
【発明の詳細な説明】
【技術分野】
【０００１】
本発明は、コンクリートからなる模様壁面角部の施工方法、及びこれに使用する調整金具に関し、特に、この模様壁面が模様型枠を使用して形成される場合の施工方法及び調整金具に関するものである。
【背景技術】
【０００２】
建物の基礎や壁、あるいは法面の擁壁等をコンクリートによって形成した場合、このコンクリートの表面が無味乾燥的なイメージを与えることがあるが、これを避けるようにするために、コンクリート表面にコンクリート自体の凹凸による模様を付すようにすることが行われている。以下では、この凹凸模様が付された壁面を模様壁面と言うが、この模様壁面は、上述したように、建物の基礎や壁、あるいは法面の擁壁等様々な壁面において採用されるものである。
【０００３】
以上のような模様壁面は、種々な方法によって形成されるが、例えば特許文献１にてもその形成方法が提案されている。この特許文献１に記載されている「凹凸模様形成法およびそれに用いる型枠」は、「目地模様が複雑で自然な印象となる凹凸模様を簡単かつ安価に形成する方法およびそれに用いる型枠を提供する」ことを目的とした発明として提案されているものである。
【０００４】
そして、この特許文献１に記載されている「凹凸模様形成法およびそれに用いる型枠」は、図８の（ａ）に示すように、「凹凸模様形成用のマットを、表面模様付マット１１と、目地部形成用の突条マット１３の二つに分け、上記突条マット１３を、互いに異なる形状に成形して、型枠１６形成時に、同一パターンの表面模様付マット１１を多数枚敷設し、各表面模様付マット１１の上面に、上記突条マット１３をそれぞれ取り付ける」ようにしたものであり、図８の（ｂ）に示すように、「同一の目地模様が繰り返すことのない凹凸模様をコンクリート表面に転写する」ことができるようにしたものである。
【特許文献１】特開平６−２２９１１８号公報、要約、代表図
【発明の開示】
【発明が解決しようとする課題】
【０００５】
ところで、模様壁面は、図８の（ｂ）に示したような平面的な部分だけからなっていることはむしろ少なく、これらの模様壁面が例えば９０度の角度で繋がることによる「角部」を有していることが多い。そして、この角部の両側の壁面についても模様を形成する必要があることも多い。
【０００６】
そこで、このような角部近傍についても、特許文献１で述べられている「突条マット１３」のような模様型枠を使用して模様壁面を形成するのであるが、模様壁面の横方向の寸法は種々であるから、「突条マット１３」のような模様型枠を切断して寸法調整を行わなければならない。
【０００７】
しかしながら、施工現場での模様型枠の寸法合わせは、模様合わせも含めると非常に手間が掛かるものであり、簡単にはできないものとなっている。特に、図８の（ａ）にも示すように、この種の模様型枠は、一定の規格のものに形成されるものであるから、角部にての模様型枠の調整は、模様壁面の角部になる模様型枠の切断か、寸法が合うような模様型枠を予め用意しておくかになるが、いずれも大変なことである。
【０００８】
そこで、本発明者等は、模様壁面をコンクリートによって形成するにあたって、その角部での模様型枠の寸法調整を簡単に行えるようにするにはどうしたらよいか、について種々検討を重ねてきた結果、模様壁面の角部においても完全な模様を形成する必要がないことに気付き、本発明を完成したのである。
【０００９】
すなわち、本発明に係る施工方法の目的とするところは、模様壁面の角部における模様型枠の寸法調整を行う必要がなくて、模様壁面角部を美麗に仕上げることができ、施工効率を高めることのできる模様壁面角部の施工方法を提供することにある。
【００１０】
また、本発明の他に目的とするところは、上記施工方法に採用することができて、模様壁面の角部における模様型枠の寸法調整を行う必要がなく、模様壁面を美麗に仕上げることができて、施工効率を高めることのできる調整金具を提供することにある。
【課題を解決するための手段】
【００１１】
以上の課題を解決するために、まず、請求項１に係る発明の採った手段は、後述する最良形態の説明中で使用する符号を付して説明すると、
「コンクリートからなる模様壁面を模様型枠２０を使用して形成するにあたって、前記模様壁面の角部については、次の工程を経て施工するようにしたことを特徴とする模様壁面角部の施工方法。
（１）前記模様壁面を形成する周囲に、保持枠２１に支持した模様型枠２０を配置する工程；
（２）これらの模様型枠２０の内の、前記角部の両側に位置するものの間にできる空間３１を閉じるべく、これら両模様型枠２０間に、前記角部の形状に合わせた調整金具１０を、その両翼部１１が模様型枠２０の端部表面に架かるようにして配置する工程；
（３）各模様型枠２０内にコンクリートを打設する工程」
である。
【００１２】
すなわち、この請求項１に係る施工方法は、コンクリートからなる模様壁面を模様型枠２０を使用して形成するにあたって、前記模様壁面の角部については、図１及び図２に示すように、調整金具１０を使用して、両模様型枠２０間にできる空間３１を閉じながら施工するようにしたものである。
【００１３】
この施工方法では、まず、（１）前記模様壁面を形成する周囲に、保持枠２１に支持した模様型枠２０を配置しておき、（２）これらの模様型枠２０の内の、前記角部の両側に位置するものの間にできる空間３１を閉じるべく、これら両模様型枠２０間に、前記角部の形状に合わせた調整金具１０を、その両翼部１１が模様型枠２０の端部表面に架かるようにして配置するのである。
【００１４】
以上の結果、模様壁面の角部に配置すべき模様型枠２０によって空間３１ができる、つまり、模様型枠２０の角部側の端部が寸法不足となったとしても、調整金具１０の各翼部１１によってこの空間３１が、図２にも示すように閉じられるから、模様型枠２０の長さ調整を行ったり、あるいは、当該模様壁面を形成するための正確な寸法規格を有する模様型枠２０を用意しておく必要がなくなるのである。
【００１５】
その後に、（３）各模様型枠２０内にコンクリートを打設しても、各角部において、このコンクリートが空間３１内に侵入することがないから、コンクリートが固化すれば、模様壁面の角部が美麗なものとして仕上がることになる。
【００１６】
従って、この請求項１に係る施工方法によれば、模様壁面の角部における模様型枠２０の寸法調整を行う必要がなくて、模様壁面の角部を美麗に仕上げることができ、施工効率を高めることができるのである。
【００１７】
上記課題を解決するために、請求項２に係る発明の採った手段は、
「コンクリートからなる模様壁面を模様型枠２０を使用して形成するにあたって採用され、前記模様壁面の角部の両側を形成することになる模様型枠２０間に配置される調整金具１０であって、
前記角部を形成することになる両模様型枠２０の端部表面に当接支持される二つの翼部１１によって構成するとともに、これら両翼部１１を所定の角度で一体化したことを特徴とする調整金具１０」
である。
【００１８】
すなわち、この請求項２の調整金具１０は、図３にも示すように、模様壁面の角部の両側を形成することになる模様型枠２０の端部表面に当接支持される二つの翼部１１によって構成したものであり、非常に簡単な構成のものとなっているのである。これらの各翼部１１は、上記請求項１及び２の施工方法で説明したように、また図１及び図２に示すように、前記角部の両側に位置する両模様型枠２０間にできる空間３１を閉じるものである。
【００１９】
勿論、この調整金具１０は、前記角部に合わせた大きさのものであり、その両翼部１１を模様型枠２０の端部表面に架かるようにして配置するものである。また、これら両翼部１１は、例えば直角などの、両模様壁面が交差している所定の角度で一体化したものであり、具体的には、これら両翼部１１が連なる面積を有した金属板材を各翼部１１の境界部分で折曲したものである。
【００２０】
従って、この請求項２の調整金具１０は、上述した請求項１または２の施工方法に採用することができて、模様壁面の角部における模様型枠２０の寸法調整を行う必要がなく、模様壁面角部を美麗に仕上げることができて、施工効率を高めることができるものとなっているのである。
【００２１】
また、請求項３に係る発明の採った手段は、上記請求項２に記載の調整金具１０について、
「各翼部１１の上下両端に、各模様型枠２０の上下両端面に当接する固定部１２を一体化したこと」
である。
【００２２】
すなわち、この請求項３の調整金具１０は、図４及び図７に示すように、各翼部１１の上下両端に固定部１２を一体的に設けたものであり、これらの固定部１２は、図５及び図６に示すように、各模様型枠２０の上下両端面に当接するものである。つまり、各調整金具１０は、これらの翼部１１によって、各模様型枠２０を挟み込むような状態で模様型枠２０に取り付けられるのであり、その模様型枠２０に対する取付施工を簡単にし得るのである。
【００２３】
このように、各調整金具１０がその翼部１１によって模様型枠２０の上下両端面に当接すれば、当該調整金具１０の各模様型枠２０に対する固定を安定的に行うことができ、例えばコンクリート打設時にこの調整金具１０がズレることがなく、模様壁面角部の仕上げを美麗に行うことができるのである。
【００２４】
従って、この請求項３の調整金具１０は、上記請求項２のそれと同様な機能を発揮する他、模様型枠２０に対する取り付けや角部の美麗な仕上げを可能にしているのである。
【００２５】
また、請求項４に係る発明の採った手段は、上記請求項３に記載の調整金具１０について、
「各固定部１２に取付穴１２ａを形成して、これら取付穴１２ａを通して模様型枠２０内に挿入される固定具１２ｂによって、模様型枠２０とこれに当接する固定部１２との固定を行うようにしたこと」
である。
【００２６】
すなわち、この請求項４の調整金具１０では、図４中の仮想線にて示すように、上記各固定部１２に取付穴１２ａを形成して、これら取付穴１２ａを通して釘やネジ等の固定具１２ｂを、模様型枠２０内に挿入できるようにしたものである。勿論、これらの固定具１２ｂは、模様型枠２０とこれに当接する固定部１２との固定を行うことになるのである。
【００２７】
従って、この請求項４に係る調整金具１０は、上記請求項３のそれと同様な機能を発揮する他、模様型枠２０と固定部１２との固定をより確実に行えるものとなっているのである。
【発明の効果】
【００２８】
以上説明した通り、本発明においては、まず、
「コンクリートからなる模様壁面を模様型枠２０を使用して形成するにあたって、前記模様壁面の角部については、次の工程を経て施工するようにしたことを特徴とする模様壁面角部の施工方法。
（１）前記模様壁面を形成する周囲に、保持枠２１に支持した模様型枠２０を配置する工程；
（２）これらの模様型枠２０の内の、前記角部の両側に位置するものの間にできる空間３１を閉じるべく、これら両模様型枠２０間に、前記角部の形状に合わせた調整金具１０を、その両翼部１１が模様型枠２０の端部表面に架かるようにして配置する工程；
（３）各模様型枠２０内にコンクリートを打設する工程」
にその特徴があり、これにより、模様壁面の角部における模様型枠２０の寸法調整を行う必要がなくて、模様壁面角部を美麗に仕上げることができ、施工効率を高めることができるのである。
【００２９】
また、本発明の調整金具１０によれば、
「コンクリートからなる模様壁面を模様型枠２０を使用して形成するにあたって採用され、前記模様壁面の角部の両側を形成することになる模様型枠２０間に配置される調整金具１０であって、
前記角部を形成することになる両模様型枠２０の端部表面に当接支持される二つの翼部１１によって構成するとともに、これら両翼部１１を所定の角度で一体化したこと」
にその構成上の特徴があり、これにより、上記施工方法に採用することができて、模様壁面の角部における模様型枠２０の寸法調整を行う必要がなく、模様壁面を美麗に仕上げることができて、施工効率を高めることのできる調整金具１０を提供することができるのである。
【発明を実施するための最良の形態】
【００３０】
次に、以上のように構成した各発明を、図面に示した最良の形態である調整金具１０について説明するが、この最良形態の調整金具１０を説明するにあたって、上記施工方法をも同時並行的に説明していくものである。
【００３１】
さて、図１及び図２には、本発明に係る施工方法及び調整金具１０を使用して施工した後の状態が示してあって、これらの図では、模様型枠２０、保持枠２１、及び調整金具１０を使用して、例えば建物基礎の角部のための生コンクリート打設空間が完成している。換言すれば、これらの図１及び図２に示した打設空間内に生コンクリートを打設すれば、コンクリートからなる模様壁面である基礎が形成されるのであるが、コンクリート固化後に、模様型枠２０、保持枠２１、及び調整金具１０を取り外せば、基礎、及びその角部に、段差や区切りがない美しい模様が形成されるのである。
【００３２】
これらの図１及び図２では、建物の基礎となる打設空間の特に角部を示しているのであるが、この角部近傍を形成するには、まず、所定の模様を形成した模様型枠２０を保持具２２によって保持枠２１に取り付け、これらの保持枠２１を模様型枠２０とともに施工場所に組むのである。この場合、模様型枠２０の端が角部を完全に埋めるようにする必要はない。何故なら、仮に角部において空間３１ができたとしても、この空間３１は、本発明の調整金具１０を使用して完全に塞がれるからである。換言すれば、角部を完全に覆うように、模様型枠２０の寸法調整を行う必要は全くないのである。
【００３３】
調整金具１０は、図３に示したように、模様壁面の角部の両側を形成することになる模様型枠２０の端部表面に当接支持される二つの翼部１１によって構成したものである。これらの各翼部１１は、図１及び図２に示したように、角部の両側に位置する両模様型枠２０間にできる空間３１を閉じるものである。
【００３４】
なお、この調整金具１０の図３に示した状態は、図１の右上に示した調整金具１０であれば右上（保持枠２１の外側）から見たものであり、図１の左下に示した調整金具１０は左下（保持枠２１の左下外側）から見たものである。このことは、後述する図４及び図７に示した調整金具１０についても同様である。
【００３５】
勿論、この調整金具１０は、角部に合わせた大きさのものであり、その両翼部１１を模様型枠２０の端部表面に架かるようにして配置するものである。また、これら両翼部１１は、例えば直角などの、両模様壁面が交差している所定の角度で一体化したものであり、具体的には、これら両翼部１１が連なる面積を有した金属板材を各翼部１１の境界部分で折曲したものである。
【００３６】
つまり、この図３に示した調整金具１０は、上述した施工方法の効率を高めることができることは勿論、模様壁面の角部における模様型枠２０の寸法調整を行う必要をなくして、模様壁面角部を美麗に仕上げるものである。
【００３７】
なお、この調整金具１０を使用して、図１及び図２に示したように施工した後に、図２中の仮想線にて示したように、調整金具１０の両翼部１１と、模様型枠２０との境界部分を目止めテープ３０によって目止めするようにするとよい。このようにしておけば、各翼部１１と模様型枠２０との境界から打設されたコンクリートの侵入が阻止される。このため、完成後の角部において、コンクリートの段差や盛り上がりは全く発生せず、より美麗な仕上がりのものとなる。
【００３８】
図４には、この調整金具１０の別の実施例が示してある。すなわち、この図４の調整金具１０は、互いに直交させた翼部１１を有することは勿論であるが、これら各翼部１１の上下両端に固定部１２を一体的に設けたものであり、これらの固定部１２は、図５及び図６に示すように、各模様型枠２０の上下両端面に当接するものである。つまり、各調整金具１０は、これらの翼部１１によって、各模様型枠２０を挟み込むような状態で模様型枠２０に取り付けられるのであり、その模様型枠２０に対する取付施工を簡単にし得るものである。
【００３９】
このように、各調整金具１０がその翼部１１によって模様型枠２０の上下両端面に当接すれば、当該調整金具１０の各模様型枠２０に対する固定を安定的に行うことができ、例えばコンクリート打設時にこの調整金具１０がズレることがなく、模様壁面角部の仕上げを美麗に行うことができる。
【００４０】
また、この図４に示した調整金具１０においては、図中の仮想線にて示したように、上述した各固定部１２に取付穴１２ａを形成することができる。これら取付穴１２ａは、これに釘やネジ等の固定具１２ｂを通することができるようにするものであり、この固定具１２ｂを模様型枠２０内に打ち込んだりねじ込んだりすることによって、模様型枠２０とこれに当接する固定部１２との固定を行うようにするものである。
【００４１】
図７には、本発明に係る調整金具１０の第３実施例が示してある。この調整金具１０においても、上述した翼部１１及び固定部１２を有することは当然であるが、各固定部１２の外端に、各模様型枠２０の保持を行う保持片１３を一体化したものである。
【００４２】
この図７に示した調整金具１０では、その保持片１３が、図６中の仮想線にて示したように、模様型枠２０の端部の翼部１１とは反対側に配置されることになるから、この保持片１３、固定部１２及び翼部１１とによって模様型枠２０の端部を確実に掴むことになり、当該調整金具１０の模様型枠２０に対する取り付けをより一層確実にするものである。
【００４３】
つまり、この保持片１３を有する調整金具１０は、この保持片１３によって、模様型枠２０に対する取り付けをより一層確実に行えるようにするものである。
【図面の簡単な説明】
【００４４】
【図１】本発明に係る施工方法及び調整金具を実施した場所の部分平面図である。
【図２】図１中の１−１線に沿ってみた部分縦断面図である。
【図３】同調整金具の斜視図である。
【図４】他の実施例に係る調整金具の斜視図である。
【図５】図４に示した調整金具を実施した場所の部分平面図である。
【図６】図５中の２−２線に沿ってみた部分縦断面図である。
【図７】さらに他の実施例に係る調整金具の斜視図である。
【図８】従来例を示すもので、（ａ）は模様型枠の横断面図、（ｂ）は装飾壁面の正面図である。
【符号の説明】
【００４５】
１０    調整金具
１１    翼部
１２    固定部
１２ａ  取付穴
１２ｂ  固定具
１３    保持片
２０    模様型枠
２１    保持枠
２２    保持具
３１    空間
【図１】
2009167678.tif 000003
【図２】
2009167678.tif 000004
【図３】
2009167678.tif 000005
【図４】
2009167678.tif 000006
【図５】
2009167678.tif 000007
【図６】
2009167678.tif 000008
【図７】
2009167678.tif 000009
【図８】
2009167678.tif 000010